(57)【要約】【課題】  静電界通信の特徴である高い空間分離度や高速データ伝送特性を有効に活用できるようにする。【解決手段】  携帯電話端末は、電界通信を利用した通信を行うための複数の電界通信アンテナ２５を有している。電界通信制御部２４は、電界通信アンテナ２５による電界通信の制御と共に、それら複数の電界通信アンテナ２５のうち、他の携帯電話端末等の電界通信アンテナとの間で電界通信が行える接続状態になっている電界通信アンテナを検知する。制御部１０は、その検知結果に応じて、自端末の動作モードの設定や、アプリケーション起動、カーソル移動等の各種アクションの選択などを行う。【選択図】  図１
2009253476.tif 000002
【特許請求の範囲】
【請求項１】
電界通信を行うための複数の電界通信アンテナと、
上記複数の電界通信アンテナのうち、他の電界通信装置の電界通信アンテナとの間で少なくとも電界通信が行える接続状態になっている電界通信アンテナを検知する検知部と、
上記検知部による検知結果に応じて自装置の動作を制御する制御部とを有する電界通信装置。
【請求項２】
上記検知部は、上記電界通信アンテナが上記接続状態になっているか否かの状態変化を検知し、
上記制御部は、上記検知部にて検知された上記状態変化に応じて自装置の動作を制御する請求項１記載の電界通信装置。
【請求項３】
上記検知部は、少なくとも上記接続状態となっている電界通信アンテナの組み合わせを検知し、
上記制御部は、上記検知部にて検知された上記組み合わせに応じて自装置の動作を制御する請求項１記載の電界通信装置。
【請求項４】
上記検知部は、少なくとも上記接続状態となった電界通信アンテナの組み合わせの変化を検知し、
上記制御部は、上記検知部にて検知された上記組み合わせの変化に応じて自装置の動作を制御する請求項３記載の電界通信装置。
【請求項５】
上記制御部は、上記検知部により上記接続状態が検知された複数の電界通信アンテナを用いた多チャンネル通信のための制御を行う請求項１記載の電界通信装置。
【請求項６】
上記制御部は、上記多チャンネル通信による多重化通信のための制御を行う請求項５記載の電界通信装置。
【請求項７】
電界通信を行うための複数の電界通信アンテナをそれぞれ備えた少なくとも二つの電界通信装置からなる電界通信システムであって、
上記電界通信装置は、
自装置が有する複数の電界通信アンテナのうち、他方の電界通信装置が有する電界通信アンテナとの間で少なくとも電界通信が行える接続状態になっている電界通信アンテナを検知すると共に、その検知結果を他方の電界通信装置へ送信し、
自装置での検知結果と上記他方の電界通信装置から受信した検知結果とにより、両電界通信装置で少なくとも接続状態となっている電界通信アンテナの組み合わせを検知し、
上記検知した上記組み合わせに応じて自装置の動作を制御する電界通信システム。
【請求項８】
上記電界通信装置は、上記組み合わせの変化を検知し、その検知した組み合わせの変化に応じて自装置の動作を制御する請求項７記載の電界通信システム。
【請求項９】
電界通信を行うための複数の電界通信アンテナを備えた電界通信装置の制御方法であって、
検知部が、上記複数の電界通信アンテナのうち、他の電界通信装置の電界通信アンテナとの間で少なくとも電界通信が行える接続状態になっている電界通信アンテナを検知するステップと、
制御部が、上記検知部による検知結果に応じて自装置の動作を制御するステップとを有する電界通信装置の制御方法。
【発明の詳細な説明】
【技術分野】
【０００１】
本発明は、いわゆる静電界通信により情報伝送を行う電界通信装置及び電界通信システム、その電界通信装置の制御方法に関する。
【背景技術】
【０００２】
最近は静電界を利用した情報通信技術の研究開発が進んでおり、例えば、特開２００５−５０２６４号の公開特許公報（特許文献１）や特開２００５−６３０１８号の公開特許公報（特許文献２）、特開２００５−２２７８７４号の公開特許公報には、静電界（準静電界）通信により様々なコンテンツデータ等を伝送する技術が開示されている。
【０００３】
【特許文献１】特開２００５−５０２６４号公報（図１）
【特許文献２】特開２００５−６３０１８号公報（図１）
【特許文献３】特開２００５−２２７８７４号公報（図１）
【発明の開示】
【発明が解決しようとする課題】
【０００４】
ところで、静電界通信技術について研究開発は盛んになされているが、当該静電界通信の利用技術については様々なアイデアが提案されている段階である。特に、静電界通信においては、高い空間分離度を有し、また高速データ伝送が可能であるなどの特徴があり、それらの特徴を有効に利用することが望まれている。
【０００５】
本発明は、このような実情に鑑みて提案されたものであり、静電界通信の特徴である高い空間分離度や高速データ伝送特性を有効に活用することのできる電界通信装置及び電界通信システム、電界通信装置の制御方法を提供することを目的とする。
【課題を解決するための手段】
【０００６】
本発明の電界通信装置は、電界通信を行うための複数の電界通信アンテナと、それら複数の電界通信アンテナのうち、他の電界通信装置の電界通信アンテナとの間で少なくとも電界通信が行える接続状態になっている電界通信アンテナを検知する検知部と、その検知結果に応じて自装置の動作を制御する制御部とを有することにより、上述した課題を解決する。
【０００７】
また本発明の電界通信装置の制御部は、接続状態が検知された複数の電界通信アンテナを用いた多チャンネル通信のための制御や、多チャンネル通信による多重化通信のための制御を行うこともできる。
【０００８】
本発明の電界通信システムは、電界通信を行うための複数の電界通信アンテナをそれぞれ備えた少なくとも二つの電界通信装置からなるシステムであって、電界通信装置は、自装置が有する複数の電界通信アンテナのうち、他方の電界通信装置が有する電界通信アンテナとの間で少なくとも電界通信が行える接続状態になっている電界通信アンテナを検知すると共にその検知結果を他方の電界通信装置へ送信し、自装置での検知結果と他方の電界通信装置から受信した検知結果とにより、両電界通信装置で少なくとも接続状態となっている電界通信アンテナの組み合わせを検知し、その検知した組み合わせに応じて自装置の動作を制御することにより、上述した課題を解決する。
【０００９】
本発明の制御方法は、電界通信を行うための複数の電界通信アンテナを備えた電界通信装置の制御方法であって、複数の電界通信アンテナのうち、他の電界通信装置の電界通信アンテナとの間で少なくとも電界通信が行える接続状態になっている電界通信アンテナを検知するステップと、その検知結果に応じて自装置の動作を制御するステップとを有することにより、上述した課題を解決する。
【００１０】
すなわち、本発明によれば、複数の電界通信アンテナにより電界通信を行う装置において、電界通信アンテナの高い空間分離度を活かすことで、複数の電界通信アンテナのうち、何れの電界通信アンテナが電界通信可能な状態になっているかを検知し、その検知結果に応じて、装置の動作を制御している。また、本発明によれば、接続状態が検知された複数の電界通信アンテナを用いた多チャンネル通信や多重化通信を行うことで、電界通信が元々有している高速データ伝送特性を更に高めている。
【発明の効果】
【００１１】
本発明においては、複数の電界通信アンテナのうち、何れの電界通信アンテナが電界通信可能な状態になっているかを検知し、その検知結果に応じて装置の動作を制御可能とし、また、接続状態が検知された複数の電界通信アンテナを用いた多チャンネル通信や多重化通信を行うようにしているため、電界通信の特徴である高い空間分離度や高速データ伝送特性が有効に活用されている。
【発明を実施するための最良の形態】
【００１２】
以下、図面を参照しながら、本発明の一実施形態について説明する。
【００１３】
なお、本実施形態では、本発明の電界通信装置の一適用例として携帯電話端末を挙げ、また、本発明の電界通信システムの一適用例として二つの携帯電話端末からなるシステムを挙げ、更に、本発明の制御方法の一適用例として携帯電話端末の制御方法を挙げているが、勿論、ここで説明する内容はあくまで一例であり、本発明はこの例に限定されないことは言うまでもない。
【００１４】
［携帯電話端末の概略構成］
図１には、本実施形態の携帯電話端末の概略構成を示す。
【００１５】
図１において、通信アンテナ１２は、例えば内蔵アンテナであり、通話や電子メール等のパケット通信のための信号電波の送受信を行う。通信回路１１は、送受信信号の周波数変換、変調と復調等を行う。
【００１６】
制御部１０は、ＣＰＵ（中央処理ユニット）からなり、通信回路１１における通信の制御、音声処理の制御、画像処理の制御、後述する電界通信制御部２４との間のデータ通信及びその制御、その他各種信号処理や各部の制御、後述する動作モードの設定制御やアクション選択制御等を行う。また、制御部１０は、メモリ部１６に蓄積されている各種の制御プログラムやアプリケーションプログラムの実行及びそれに付随する各種データ処理等を行う。
【００１７】
スピーカ２０は、携帯電話端末に設けられている受話用のスピーカや、リンガ（着信音）、アラーム音、警告音、再生音楽、ディジタル音声、再生動画像の音声等の出力用スピーカからなり、音声処理部２３から供給された音声信号を音響波に変換して空気中に出力する。
【００１８】
マイクロホン２１は、送話用及び外部音声集音用のマイクロホンであり、音響波を音声信号に変換し、その音声信号を音声処理部２３へ入力する。
【００１９】
音声処理部２３は、復号等の所定の音声処理により生成した音声データをディジタル／アナログ変換した後に増幅し、その増幅後の音声信号を上記スピーカ２０へ出力する。また、音声処理部２３は、マイクロホン２１から供給された入力音声信号を増幅及びアナログ／ディジタル変換し、そのアナログ／ディジタル変換後の音声データの符号化等の所定の音声処理を施す。
【００２０】
操作部１４は、本実施形態の携帯電話端末の筐体上に設けられているテンキーや発話キー、終話／電源キー等の各キーや十字キー，ジョグダイヤル等の各操作子と、それら操作子が操作された時の操作信号を発生する操作信号発生器とからなる。
【００２１】
表示部１３は、例えば液晶ディスプレイや有機ＥＬ（ElectroLuminescent）ディスプレイ等の表示デバイスと、そのディスプレイの表示駆動回路とを含み、画像処理部２２から供給された画像信号により、上記ディスプレイ上に例えば電子メール等の各種文字やメッセージを表示したり、静止画像や動画像等の表示を行う。
【００２２】
画像処理部２２は、表示部１３に表示される文字、記号、画像等の画像信号を生成する処理を行う。また、画像処理部２２は、制御部１０による制御の元で、各種のユーザインターフェース画面の表示やウェブページの表示等をも行う。
【００２３】
時計部１５は、年月日及び日時等の時刻情報や、ユーザにより設定された時間の計測などに用いられる時間情報等を生成する。当該時計部１５により生成された時刻や時間等は、表示部１３の画面上に表示されたり、制御部１０が各種時間管理を行う際に用いられる。
【００２４】
電界通信制御部２４は、後述するような複数の電界通信アンテナ２５を通じて他の電界通信装置との間で行われる静電界通信を制御すると共に、当該静電界通信により送受される信号の変復調やデータ符号及び復号、データ多重化等の処理を行う。
【００２５】
メモリ部１６は、ＲＯＭ（Read Only Memory）とＲＡＭ（Random Access Memory）を含む。ＲＯＭは、ＮＡＮＤ型フラッシュメモリ（NAND-type flash memory）のような書き換え可能な記憶媒体を含み、例えば、ＯＳ（Operating System）のプログラムや制御部１０が各部を制御するための制御プログラム、各種のアプリケーションプログラム、圧縮符号化された楽曲データコンテンツや動画像データコンテンツの他、各種の初期設定値、フォントデータ、各辞書データ、機種名情報や端末識別情報などをも記憶する。なお、上記プログラムはプログラム格納部１７に格納され、各種データはデータ格納部１８に格納されている。ＲＡＭは、制御部１０が各種のデータ処理を行う際の作業領域として、随時データを格納する。また、メモリ部１６のプログラムは、ディスク状記録媒体や外部半導体メモリ等を介して格納されたり、外部インターフェースを通じたケーブル或いは無線を介して格納されたものであっても良い。
【００２６】
その他、図１には図示を省略しているが、本実施形態の携帯電話端末は、写真画像の撮影のためのディジタルカメラ部、キー照明や着信ライト用などのＬＥＤ（発光ダイオード）とその駆動部、各部へ電力を供給するバッテリとその電力をコントロールするパワーマネージメントＩＣ部、いわゆるブルートゥース方式（Bluetooth：登録商標）やＵＷＢ（Ultra Wide Band）方式、無線ＬＡＮ（Local Area Network）などによる近距離無線通信を行うための近距離無線通信部、非接触ＩＣカード機能とリーダライタ機能とを備えた非接触通信処理部、ＧＰＳ（Global Positioning System）通信部、外部メモリ用スロット、ディジタル放送の受信チューナ部とＡＶコーデック部など、一般的な携帯電話端末に設けられる各構成要素についても備えている。
【００２７】
［第１〜第３の実施形態］
図２〜図４には、携帯電話端末１に例えば四個の電界通信アンテナ２５を設け、同様に、携帯電話端末２にも四個の電界通信アンテナを設け、それら携帯電話端末１及び２の間で静電界通信を行う場合の第１〜第３の実施形態のイメージ図を示す。
【００２８】
［第１の実施形態］
図２には、携帯電話端末１の例えば一つの筐体面内側に四個の電界通信アンテナ２５（ａ，ｂ，ｃ，ｄ）を設け、同様に、携帯電話端末２の一つの筐体面内側に四個の電界通信アンテナ２５（ａ，ｂ，ｃ，ｄ）を設け、それら携帯電話端末１，２の各電界通信アンテナ２５がそれぞれ一対一（ａ−ａ，ｂ−ｂ，ｃ−ｃ，ｄ−ｄ）に対応するように両携帯電話端末１，２を近接させた状態で電界通信を行う場合の第１の実施形態のイメージ図を示す。
【００２９】
ここで、携帯電話端末等の小型筐体内に例えば複数のアンテナを設けることを考えた場合、それら複数のアンテナとして例えば一般的な電磁波用の無線通信アンテナを用いたとすると、隣接するアンテナ間の干渉によって良好な無線通信が行えなくなるという問題が発生する。一方、静電界通信の場合は、空間ダイバーシティ効果が高いため、本実施形態のように、複数の電界通信アンテナを小型筐体内に設けたとしても、それらアンテナ間の干渉が問題になることは少ない。
【００３０】
したがって、図２のように、複数の電界通信アンテナ２５をそれぞれ一対一（ａ−ａ，ｂ−ｂ，ｃ−ｃ，ｄ−ｄ）に対応させ、それら各対となされたアンテナが電界通信の接続端子となった状態でデータ通信を行うようにすれば、例えば多チャンネル通信が可能となり、更に、多チャンネル通信によるデータ多重化を行えば通信の高速化（大量のデータの高速通信）が可能となる。
【００３１】
すなわち、図２の例において多チャンネル通信を行う場合、携帯電話端末１，２の電界通信制御部２４は、それぞれ一対（電界通信で接続された一対）となる電界通信アンテナ２５（ａ−ａ，ｂ−ｂ，ｃ−ｃ，ｄ−ｄ）に対して、例えば各々一つのチャンネルを割り当て、それら割り当てられた各チャンネル毎にそれぞれデータ通信を行う。
【００３２】
これにより、第１の実施形態によれば、携帯電話端末１，２間の多チャンネル通信が実現される。
【００３３】
また、多チャンネル通信によるデータ多重化を行う場合、送信側の携帯電話端末の電界通信制御部２４は、データを複数のチャンネルに分け、それら各チャンネルに分けられたデータを、上記各チャンネルが割り当てられた電界通信アンテナ２５から送信する。一方、受信側の携帯電話端末の電界通信制御部２４は、各チャンネルが割り当てられた電界通信アンテナ２５を通じて各チャンネルのデータを受信すると、それら各チャンネルに分けられたデータを一つのデータに纏める。
【００３４】
これにより、第１の実施形態によれば、携帯電話端末１，２の間のデータ通信の高速化が実現される。すなわちこの場合、電界通信が元々有している高速データ伝送特性を更に高めた高速通信が可能となる。
【００３５】
［第２の実施形態］
図３には、図２の例と同様に、携帯電話端末１の一つの筐体面内側に四個の電界通信アンテナ２５（ａ，ｂ，ｃ，ｄ）を設け、同様に、携帯電話端末２の一つの筐体面内側に四個の電界通信アンテナ２５（ａ，ｂ，ｃ，ｄ）を設けた一方で、一例として、携帯電話端末１の隣接する三つの電界通信アンテナ２５（ｂ，ｃ，ｄ）と携帯電話端末２の隣接する三つの電界通信アンテナ２５（ａ，ｂ，ｃ）をそれぞれ一対一に対応するように両携帯電話端末１，２を近接させた状態、つまりそれら電界通信アンテナを接続端子とした状態で電界通信を行う場合の第２の実施形態のイメージ図を示す。
【００３６】
すなわち、図３の例は、携帯電話端末１と携帯電話端末２をずらして近接させることにより、携帯電話端末１の四個の電界通信アンテナ２５のうちの（ｂ，ｃ，ｄ）と、携帯電話端末２の四個の電界通信アンテナ２５のうちの（ａ，ｂ，ｃ）とが、それぞれ一対一（ｂ−ａ，ｃ−ｂ，ｄ−ｃ）に対応するように両携帯電話端末１，２を近接させた状態で電界通信を行う場合を示している。
【００３７】
ここで、例えば一方の携帯電話端末の四個の電界通信アンテナ２５（ａ，ｂ，ｃ，ｄ）のうち（ｂ，ｃ，ｄ）が電界通信可能な状態（つまり相手方のアンテナと接続された状態、以下、単に接続状態と表記する。）となり、また、例えば他方の携帯電話端末の四個の電界通信アンテナ２５（ａ，ｂ，ｃ，ｄ）のうち（ａ，ｂ，ｃ）が接続状態になっている場合には、当該接続状態となっている（ｂ，ｃ，ｄ）の電界通信アンテナ２５の方を例えば送信側にし、一方、接続状態となっている（ａ，ｂ，ｃ）の電界通信アンテナ２５の方を例えば受信側にするという取り決めを予め決めておけば、両携帯電話端末の配置により、何れが送信側，受信側となるかを自動的に設定することが可能、つまり、何れを送信側，受信側にするかの設定作業が不要となる。
【００３８】
すなわち、第２の実施形態において、携帯電話端末の電界通信制御部２４は、それぞれ四個の電界通信アンテナ２５（ａ，ｂ，ｃ，ｄ）の中で何れのアンテナが接続状態となっているかを見ており、例えば（ｂ，ｃ，ｄ）の電界通信アンテナ２５が接続状態になっている場合には、自端末を送信側に自動設定し、一方、上記（ａ，ｂ，ｃ）の電界通信アンテナ２５が接続状態となっている場合には、自端末を受信側に自動設定する。
【００３９】
これにより、第２の実施形態によれば、両携帯電話端末の配置に応じて送信側と受信側を自動設定することが可能となる。
【００４０】
なお、二つの電界通信アンテナ間が接続状態になっているかどうかは、電界強度の違いにより判断することができる。図３の例の場合、携帯電話端末１の電界通信アンテナ２５の（ｂ，ｃ，ｄ）と携帯電話端末２の電界通信アンテナ２５の（ａ，ｂ，ｃ）との間の電界強度が強くなっているため、これらは接続状態であると検知され、一方、携帯電話端末１の電界通信アンテナ２５の（ａ）と携帯電話端末２の電界通信アンテナ２５の（ｄ）との間の電界強度は弱くなっているため、これらは接続状態ではないと検知される。
【００４１】
［第３の実施形態］
図４には、携帯電話端末１の一方の筐体面内側に四個の電界通信アンテナ２５（ａ，ｂ，ｃ，ｄ）を設けると共に、他方の筐体面内側に四個の電界通信アンテナ２５（ｅ，ｆ，ｇ，ｈ）を設け、同様に、携帯電話端末２の一方の筐体面内側に四個の電界通信アンテナ２５（ａ，ｂ，ｃ，ｄ）を設けると共に、他方の筐体面内側に四個の電界通信アンテナ２５（ｅ，ｆ，ｇ，ｈ）を設けた場合のイメージ図を示す。なお、この図４の例は、携帯電話端末１の一方の筐体面内側に設けられた四個の電界通信アンテナ２５（ａ，ｂ，ｃ，ｄ）と、携帯電話端末２の他方の筐体面内側に設けられた四個の電界通信アンテナ２５（ｅ，ｆ，ｇ，ｈ）とを、それぞれ一対一に対応するように両携帯電話端末１，２を近接させた状態で、つまりそれら電界通信アンテナを接続端子とした状態で電界通信を行う場合を示している。
【００４２】
ここで、例えば一方の携帯電話端末の八個の電界通信アンテナ２５（ａ，ｂ，ｃ，ｄ）（ｅ，ｆ，ｇ，ｈ）のうち、例えば（ａ，ｂ，ｃ，ｄ）が接続状態となっており、また、例えば他方の携帯電話端末の八個の電界通信アンテナ２５（ａ，ｂ，ｃ，ｄ）（ｅ，ｆ，ｇ，ｈ）のうち（ｅ，ｆ，ｇ，ｈ）が接続状態になっている場合には、例えば、上記接続状態となっている（ｅ，ｆ，ｇ，ｈ）の電界通信アンテナ２５の方を送信側にし、一方、上記接続状態となっている（ａ，ｂ，ｃ，ｄ）の電界通信アンテナ２５の方を受信側にするという取り決めを予め決めておけば、両携帯電話端末の配置により、何れが送信側，受信側となるかを自動的に設定することが可能となる。つまり、本実施形態によれば、何れを送信側，受信側にするかをユーザが設定する作業が不要となる。
【００４３】
このようなことを実現するため、携帯電話端末の電界通信制御部２４は、それぞれ八個の電界通信アンテナ２５（ａ，ｂ，ｃ，ｄ）（ｅ，ｆ，ｇ，ｈ）の中で何れの側のアンテナが接続状態となっているかを見ており、例えば（ｅ，ｆ，ｇ，ｈ）の電界通信アンテナ２５側が接続状態になっている場合には、自端末を送信側に自動設定し、一方、上記（ａ，ｂ，ｃ，ｄ）の電界通信アンテナ２５側が接続状態となっている場合には、自端末を受信側に自動設定する。
【００４４】
これにより、第３の実施形態によれば、両携帯電話端末の配置に応じて送信側と受信側を自動設定することが可能となる。
【００４５】
［第４の実施形態］
図５には、携帯電話端末１に二個の電界通信アンテナ２５ａ，２５ｂを設け、同様に、携帯電話端末２にも二個の電界通信アンテナ２５ａ，２５ｂを設け、それら携帯電話端末１及び２の間で静電界通信を行う場合の第４の実施形態のイメージ図を示す。
【００４６】
図５には、長方形筐体を有する携帯電話端末１の例えば筐体長尺側両端部にそれぞれ一つの電界通信アンテナ２５ａ，２５ｂが設けられ、同様に、長方形筐体を有する携帯電話端末２の筐体長尺側両端部にそれぞれ一つの電界通信アンテナ２５ａ，２５ｂが設けられており、例えば携帯電話端末１の電界通信アンテナ２５ｂと携帯電話端末２の電界通信アンテナ２５ａとを近接させた状態（接続状態）で電界通信が行われる場合の第４の実施形態のイメージ図を示している。
【００４７】
ここで、上述のように携帯電話端末１，２の筐体長尺側両端部にそれぞれ電界通信アンテナ２５ａ，２５ｂを設けた場合において、例えば図５のように、携帯電話端末１，２を筐体長尺方向に並べて近接配置し、一方の携帯電話端末１の電界通信アンテナ２５ｂと他方の携帯電話端末２の電界通信アンテナ２５ａとが接続状態になっている場合には、これら両携帯電話端末１，２を正面から観たときに上側となっている携帯電話端末１を送信側とし、下側となっている携帯電話端末２を受信側とする取り決めを予め決めておくことで、それら両携帯電話端末の配置により、何れが送信側，受信側となるかを自動的に設定することが可能、つまり、何れを送信側，受信側にするかの設定作業が不要となる。
【００４８】
すなわち、この第４の実施形態の場合、携帯電話端末を正面から観た時のディスプレイ３１側の電界通信アンテナ２５ａが受信側となされ、一方、テンキー３２側の電界通信アンテナ２５ｂが送信側となされており、一方の携帯電話端末（１）の電界通信アンテナ２５ｂと他方の携帯電話端末（２）の電界通信アンテナ２５ａとを近接させた状態で電界通信を行うようにした場合には、正面から観て上側の電界通信アンテナ２５ｂから下側の電界通信アンテナ２５ａへ信号が送信される。言い換えると、本実施形態では、正面から観て上側に置かれた携帯電話端末１から下側に置かれた携帯電話端末２へ信号が流れるイメージで電界通信が行われる。
【００４９】
また、この第４の実施形態によれば、正面から観て上側に置かれた携帯電話端末（１）から下側に置かれた携帯電話端末（２）へ信号が送られることになるため、ユーザが信号の流れをイメージし易くなる。
【００５０】
［第５の実施形態］
図６には、長方形筐体を有する携帯電話端末１の例えば筐体短尺側両端部にそれぞれ一つの電界通信アンテナ２５ｃ，２５ｄが設けられ、同様に、長方形筐体を有する携帯電話端末２の筐体短尺側両端部にそれぞれ一つの電界通信アンテナ２５ｃ，２５ｄが設けられており、例えば携帯電話端末１の電界通信アンテナ２５ｂと携帯電話端末２の電界通信アンテナ２５ｃとを近接させた状態（接続状態）で電界通信が行われる場合の第５の実施形態のイメージ図を示している。
【００５１】
ここで、上述のように携帯電話端末１，２の筐体短尺側両端部にそれぞれ電界通信アンテナ２５ｃ，２５ｄを設けた場合において、例えば図６のように、携帯電話端末１，２を筐体短尺方向に並べて近接配置し、一方の携帯電話端末１の電界通信アンテナ２５ｄと他方の携帯電話端末２の電界通信アンテナ２５ｃとが接続状態になっている場合には、これら両携帯電話端末１，２を正面から観たときに例えば左側となっている携帯電話端末１を送信側とし、一方、例えば右側となっている携帯電話端末２を受信側とする取り決めを予め決めておくことで、それら両携帯電話端末の配置により、何れが送信側，受信側となるかを自動的に設定することが可能、つまり、何れを送信側，受信側にするかの設定作業が不要となる。
【００５２】
すなわち、この第５の実施形態の場合、携帯電話端末を正面から観た時の左側の電界通信アンテナ２５ｄが送信側となされ、一方、右側の電界通信アンテナ２５ｃが受信側となされており、一方の携帯電話端末（１）の電界通信アンテナ２５ｄと他方の携帯電話端末（２）の電界通信アンテナ２５ｃとを近接させた状態で電界通信を行う場合には、正面から観て左側の電界通信アンテナ２５ｄから右側の電界通信アンテナ２５ｃへ信号が送信される。言い換えると、本実施形態では、正面から観て左側に置かれた携帯電話端末１から右側に置かれた携帯電話端末２へ信号が流れるイメージで電界通信が行われる。
【００５３】
この第５の実施形態によれば、正面から観て左側に置かれた携帯電話端末（１）から右側に置かれた携帯電話端末（２）へ信号が送られることになるため、ユーザが信号の流れをイメージし易くなる。
【００５４】
［第６の実施形態］
上述の第４，第５の実施形態のシステムでは、二つの携帯電話端末で電界通信を行うシステムを挙げたが、本発明の第６の実施形態として、三つ以上の携帯電話端末等が電界通信システムを行うシステムであってもよい。
【００５５】
本発明の第６の実施形態のシステムは、例えば図５の携帯電話端末２の電界通信アンテナ２５ｂに第３の携帯電話端末の電界通信アンテナ２５ａを電界通信により接続することで、携帯電話端末１から送信されたデータを携帯電話端末２を経由し、さらに第３の携帯電話端末へ転送するようなシステム（さらに第４，第５の携帯電話端末等へ転送するシステムであってもよい）となされている。勿論、この例は、図６のシステム構成の場合についても同様に適用可能である。
【００５６】
また例えば、図５や図６の構成を組み合わせることも可能である。すなわち例えば図７に示すように、携帯電話端末の筐体長尺側両端部と筐体短尺両端部の合計四箇所に電界通信アンテナ（２５ａ，２５ｂ，２５ｃ，２５ｄ）を設け、携帯電話端末１と携帯電話端末２との間では筐体長尺側端部の電界通信アンテナ２５ａ及び２５ｂを接続状態にすると同時に、例えば携帯電話端末２の筐体短尺端部の電界通信アンテナ２５ｃを別の携帯電話端末３の電界通信アンテナ２５ｄと接続状態にし、同様に、携帯電話端末２の電界通信アンテナ２５ｄを別の携帯電話端末４の電界通信アンテナ２５ｃと接続状態にすることで、例えば携帯電話端末１から送信されたデータを携帯電話端末２を経由し、さらに携帯電話端末３及び携帯電話端末４の両方へ同時に転送するようなシステム（さらに別の携帯電話端末等へ転送するシステムであってもよい）にすることもできる。
【００５７】
［第７の実施形態］
図８には、携帯電話端末１の一つの筐体面内側に四個の電界通信アンテナ２５（以下、各アンテナをＡ００，Ａ０１，Ａ１０，Ａ１１とする。）を配置し、同様に、携帯電話端末２の一つの筐体面内側に四個の電界通信アンテナ２５（以下、各アンテナをＢ００，Ｂ０１，Ｂ１０，Ｂ１１とする。）を配置した場合の第７の実施形態のイメージ図を示す。また、図９〜図１７には、携帯電話端末１と携帯電話端末２を近接させた際の置き方により、それぞれ対となる電界通信アンテナ（接続状態となる電界通信アンテナ）が変えられて、両携帯電話端末１，２間で電界通信を行う場合の当該第７の実施形態のイメージ図を示す。なお、図８〜図１７の例では、携帯電話端末１の四個の電界通信アンテナＡ００，Ａ０１，Ａ１０，Ａ１１と、携帯電話端末２の四個の電界通信アンテナＢ００，Ｂ０１，Ｂ１０，Ｂ１１が、それぞれ格子状に配置されている例を挙げている。
【００５８】
また、図８〜図１７において、図８の例は、携帯電話端末１の電界通信アンテナＡ００，Ａ０１，Ａ１０，Ａ１１と、携帯電話端末２の電界通信アンテナＢ００，Ｂ０１，Ｂ１０，Ｂ１１を、それぞれ同じ方向から観たとき、すなわち例えば端末の正面側（表面側）から観たときの配置状態を示している。これに対して、図９〜図１７の例は、携帯電話端末１と携帯電話端末２のそれぞれ電界通信アンテナが設けられている両筐体面を、互いに向き合わせて近接させることで電界通信が可能になっている場合の配置状態を示している。つまり、携帯電話端末１は、当該端末が正面側（表面側）に向けられている時の配置状態を表している一方で、携帯電話端末２は、当該端末が裏面側に向けられているときの配置状態を表している。すなわち、図９〜図１７の場合、正面側（表面側）から観た状態の携帯電話端末１では、四つの電界通信アンテナが図の左上、右上、左下、右下の順にＡ００，Ａ０１，Ａ１０，Ａ１１のように見えている一方で、裏面側から観た状態の携帯電話端末２では、四つの電界通信アンテナが図の左上、右上、左下、右下の順にＢ０１，Ｂ００，Ｂ１１，Ｂ１０のように見えている。
【００５９】
図９は、携帯電話端末１の電界通信アンテナＡ１１と携帯電話端末２の電界通信アンテナＢ０１の対が接続状態になっている場合の配置例を示している。図１０は、携帯電話端末１の電界通信アンテナＡ１０と携帯電話端末２の電界通信アンテナＢ０１の対が接続状態になっており、同様に、携帯電話端末１の電界通信アンテナＡ１１と携帯電話端末２の電界通信アンテナＢ００の対が接続状態になっている場合の配置例を示している。図１１は、携帯電話端末１の電界通信アンテナＡ１０と携帯電話端末２の電界通信アンテナＢ００の対が接続状態になっている場合の配置例を示している。図１２は、携帯電話端末１の電界通信アンテナＡ１０と携帯電話端末２の電界通信アンテナＢ０１の対が接続状態になり、同様に、携帯電話端末１の電界通信アンテナＡ１１と携帯電話端末２の電界通信アンテナＢ１１の対が接続状態になっている場合の配置例を示している。図１３は、携帯電話端末１の電界通信アンテナＡ００と携帯電話端末２の電界通信アンテナＢ０１の対が接続状態になり、同様に、携帯電話端末１の電界通信アンテナＡ０１と携帯電話端末２の電界通信アンテナＢ００の対が接続状態になり、携帯電話端末１の電界通信アンテナＡ１０と携帯電話端末２の電界通信アンテナＢ１１の対が接続状態になり、携帯電話端末１の電界通信アンテナＡ１１と携帯電話端末２の電界通信アンテナＢ１０の対が接続状態となっている場合の配置例を示している。図１４は、携帯電話端末１の電界通信アンテナＡ００と携帯電話端末２の電界通信アンテナＢ００の対が接続状態となり、同様に、携帯電話端末１の電界通信アンテナＡ１０と携帯電話端末２の電界通信アンテナＢ１０の対が接続状態となっている場合の配置例を示している。図１５は、携帯電話端末１の電界通信アンテナＡ１０と携帯電話端末２の電界通信アンテナＢ１１の対が接続状態となっている場合の配置例を示している。図１６は、携帯電話端末１の電界通信アンテナＡ００と携帯電話端末２の電界通信アンテナＢ１１の対が接続状態となり、同様に、携帯電話端末１の電界通信アンテナＡ０１と携帯電話端末２の電界通信アンテナＢ１０の対が接続状態となっている場合の配置例を示している。最後に、図１７は、携帯電話端末１の電界通信アンテナＡ００と携帯電話端末２の電界通信アンテナＢ１０の対が接続状態となっている場合の配置例を示している。
【００６０】
なお、本実施形態では、それら二つの携帯電話端末１，２において、何れの電界通信アンテナが対となって接続状態であるかどうかは、前述したように電界強度の違いにより判断する。
【００６１】
そして、本実施形態において、携帯電話端末１，２は、それら接続状態となっている対の電界通信アンテナを通じてデータ通信を行う。
【００６２】
この第７の実施形態によれば、複数の電界通信アンテナのうちの何れの電界通信アンテナが接続状態になっているかを判定可能であるため、それら接続状態になっている電界通信アンテナを用いて電界通信を行うことが可能である。
【００６３】
［第８の実施形態］
携帯電話端末１，２は、第８の実施形態として、上述のように何れの電界通信アンテナの対が接続状態になっているかを判断することだけでなく、それら携帯電話端末１と携帯電話端末２の間でそれぞれ何れの電界通信アンテナが接続状態になっているのかを互いに連絡し合うことにより、それら携帯電話端末１，２にて互いに接続状態の対になっている電界通信アンテナの組み合わせや、接続状態の電界通信アンテナの対の変化、接続状態の対になっている電界通信アンテナの組み合わせの変化などを検知し、それら対の組み合わせや変化等の検知結果に応じて、例えば、端末の動作モードの設定、アプリケーションの起動やディスプレイ上のカーソルの移動操作などのアクション選択を行うことも可能となされている。
【００６４】
図１８〜図２１には、接続状態となっている電界通信アンテナの対の変化を検知する場合の一例を示す。
【００６５】
図１８は、図中（ａ）のように携帯電話端末１の電界通信アンテナＡ１１と携帯電話端末２の電界通信アンテナＢ０１が対となっていた状態から、図中（ｂ）のように携帯電話端末１の電界通信アンテナＡ０１と携帯電話端末２の電界通信アンテナＢ０１が対になると同時に、携帯電話端末１の電界通信アンテナＡ１１と携帯電話端末２の電界通信アンテナＢ１１が対になった状態へ変化した例を示している。
【００６６】
この図１８の例の場合、本実施形態の携帯電話端末１，２は、それぞれが電界通信アンテナの電界強度の変化を見ることで接続状態となっている電界通信アンテナを検出すると共に、その検出結果を携帯電話端末１，２間で互いに連絡し合うことにより、図１９に示すように、それら携帯電話端末１，２間で接続状態の対になっている電界通信アンテナの組み合わせや、接続状態の電界通信アンテナの対の変化などを検知可能となされている。なお、図１９の表では、携帯電話端末１と携帯電話端末２において電界通信アンテナが対になり接続状態となっている場合を“１”とし、携帯電話端末１と携帯電話端末２において電界通信アンテナが接続されていない場合を“０”として表し、また図中の矢印は時間の経過を表している。
【００６７】
すなわち図１９の表によれば、図１８の（ａ）の時には、携帯電話端末１の電界通信アンテナＡ１１と携帯電話端末２の電界通信アンテナＢ０１とが接続状態（“１”）であったのに対し、図１８の（ｂ）の時には、携帯電話端末１の電界通信アンテナＡ１１と携帯電話端末２の電界通信アンテナＢ０１との間の接続が切れた状態（“０”）に変化し、一方、電界通信アンテナＡ０１と電界通信アンテナＢ０１との間は接続していない状態（“０”）から接続状態（“１”）に変化し、同様に、電界通信アンテナＡ１１と電界通信アンテナＢ１１との間は接続していない状態（“０”）から接続状態（“１”）に変化している。したがって、本実施形態の携帯電話端末１，２は、この図１９のような接続状態と接続していない状態の変化を監視することにより、携帯電話端末１と携帯電話端末２が図１８の（ａ）の配置状態から図１８の（ｂ）の配置状態へ変化したことを検知することができる。
【００６８】
また、図２０は、図中（ａ）のように携帯電話端末１の電界通信アンテナＡ０１と携帯電話端末２の電界通信アンテナＢ０１とが対になっていると同時に、携帯電話端末１の電界通信アンテナＡ１１と携帯電話端末２の電界通信アンテナＢ１１とが対になっていた状態から、図中（ｂ）のように携帯電話端末１の電界通信アンテナＡ０１と携帯電話端末２の電界通信アンテナＢ１１とが対になる状態へ変化した例を示している。
【００６９】
この図２０の例の場合、本実施形態の携帯電話端末１，２は、図１９と同様に示す図２１のように、それぞれ電界通信アンテナの電界強度の変化を監視することで、接続状態の電界通信アンテナ対が変化したことを検知する。
【００７０】
すなわちこの図２１の表によれば、図２０の（ａ）の時には、電界通信アンテナＡ０１と電界通信アンテナＢ０１の対が接続状態（“１”）であると同時に電界通信アンテナＡ１１と電界通信アンテナＢ１１の対が接続状態（“１”）であったのに対し、図２０の（ｂ）の時には、電界通信アンテナＡ０１と電界通信アンテナＢ０１との間の接続が切れた状態（“０”）へ変化すると同時に、電界通信アンテナＡ１１と電界通信アンテナＢ１１との間も接続が切れた状態（“０”）へ変化し、一方、電界通信アンテナＡ０１と電界通信アンテナＢ１１との間は接続が切れていた状態（“０”）から接続状態（“１”）に変化している。したがって、本実施形態の携帯電話端末１，２は、この図２１のような接続状態と接続していない状態の変化を見ることにより、携帯電話端末１と携帯電話端末２の配置状態が図２０の（ａ）の配置状態から図２０の（ａ）の（ｂ）の配置状態へ変化したことを検知することができる。
【００７１】
図２２〜図２４には、接続状態の対となった電界通信アンテナの組み合わせや、電界通信アンテナの対の変化に応じて、端末の動作モードの自動選択設定、アプリケーションの起動やディスプレイ上のカーソルの移動操作などのアクション自動選択が行われる場合の一例を示す。なお、以下の説明では、携帯電話端末１がモード自動選択設定やアクション自動選択を行う場合を例に挙げている。
【００７２】
図２２の表は、それぞれ対となり得る電界通信アンテナの１６通りの組み合わせである（Ａ００，Ｂ００），（Ａ００，Ｂ０１），（Ａ００，Ｂ１０），（Ａ００，Ｂ１１），（Ａ０１，Ｂ００），（Ａ０１，Ｂ０１），（Ａ０１，Ｂ１０），（Ａ０１，Ｂ１１），（Ａ１０，Ｂ００），（Ａ１０，Ｂ０１），（Ａ１０，Ｂ１０），（Ａ１０，Ｂ１１），（Ａ１１，Ｂ００），（Ａ１１，Ｂ０１），（Ａ１１，Ｂ１０），（Ａ１１，Ｂ１１）と、それら１６通りの組み合わせにおいて、接続状態を“１”とし、接続されていない状態を“０”とし、それら“１”又は“０”の値を上述の１６通りの順番に並べたコードを“ｘｘｘｘ，ｘｘｘｘ，ｘｘｘｘ，ｘｘｘｘ”のように表している。なお、上記コード中の“ｘ”は、“０”又は“１”の値となる。そして、本実施形態において、当該コードは、携帯電話端末１の動作モードの自動設定や各種アクションの自動選択のためのコードとなされている。
【００７３】
ここで、この図２２において、「モード１」，「モード２」は、携帯電話端末１の動作モードの一例を表しており、例えば「モード１」は音楽モード、「モード２」は動画モードとなされている。なお、図２２の例では、携帯電話端末１を「モード１」（音楽モード）にするためのコードとして、例えば“０１００，１０００，０００１，００１０”が設定され、「モード２」（動画モード）にするためのコードとして、例えば“１０００，００１０，０１００，０００１”が設定されている。
【００７４】
また、図２２において、「アクション１」，「アクション２」は、携帯電話端末１におけるアクションの一例を表しており、例えば「アクション１」はディスプレイ上でカーソルを上から下へ移動させ、「アクション２」はディスプレイ上でカーソルを下から上へ移動させるためのアクションとなされている。なお、図２２の例では、「アクション１」を実行するためのコードとして、例えば“００００，０１００，００００，０００１”と“００００，００００，００００，０１００”の二つのコードが設定されており、上記コードが“００００，０１００，００００，０００１”から“００００，００００，００００，０１００”へ変化した時に、ディスプレイ上でカーソルを上から下へ移動させるアクションが指定される。また、図２２の例では、「アクション２」を実行するためのコードとして、例えば“００００，０１００，００００，０００１”と“００００，０００１，００００，００００”の二つのコードが設定されており、上記コードが“００００，０１００，００００，０００１”から“００００，０００１，００００，００００”へ変化した時にディスプレイ上でカーソルを下から上へ移動させるアクションが指定される。
【００７５】
すなわち、本実施形態において、携帯電話端末１及び携帯電話端末２が前述の図１３の例のように重ね合わされて配置された時に、上記コードは“０１００，１０００，０００１，００１０”となる。したがって、携帯電話端末１は、このコードを検知した場合に、動作モードを「モード１」の音楽モードに自動設定する。
【００７６】
同様に、本実施形態において、携帯電話端末１及び携帯電話端末２が例えば図２３のように重ね合わされて配置された時に、上記コードは“１０００，００１０，０１００，０００１”となる。したがって、携帯電話端末１は、このコードを検知した時に、動作モードを「モード２」の動画モードに自動設定する。
【００７７】
また、本実施形態において、携帯電話端末１及び携帯電話端末２が前述の図２０の（ａ）のように重ね合わされて配置された後、その状態から図２０の（ｂ）のようにずらされると、上記コードは“００００，０１００，００００，０００１”から“００００，００００，００００，０１００”へ変化することになる。したがって、携帯電話端末１は、このようなコードの変化を検知した時に、ディスプレイ上のカーソルを上から下へ移動させるアクションを実行する。
【００７８】
同様に、本実施形態において、携帯電話端末１及び携帯電話端末２が例えば図２４の（ｂ）ように重ね合わされて配置された後、その状態から図２４の（ａ）のようにずらされると、上記コードは“００００，０１００，００００，０００１”から“００００，０００１，００００，００００”へ変化することになる。したがって、携帯電話端末１は、このようなコードの変化を検知した時に、ディスプレイ上のカーソルを下から上へ移動させるアクションを実行する。
【００７９】
なお、上述したモードやアクションはあくまで一例であり、本実施形態では更に多くのモードやアクション等とコードとが対応付けられている。その他にも、例えば、接続状態の対の変化によりモードの設定を行うようにしてもよく、また例えば、接続状態の対になっている電界通信アンテナの組み合わせや上記対の変化により、アプリケーションプログラムを起動するようなことも可能である。なお、これらモードやアクション等とコードとが対応付けの情報は、例えばテーブルデータとしてメモリ部１６等に予め用意されているか、若しくはユーザにより自由にモードやアクション等とコードとが対応付けられて設定されたテーブルデータがメモリ部１６に登録されている。以上のように、本実施形態の携帯電話端末は、他の端末との近接時に検知されるコードに応じて、多種多様のモード自動設定やアクション自動選択等を行うことが可能となっている。
【００８０】
［アンテナの接続状態の検出フロー］
図２５には、本実施形態の携帯電話端末１において、複数の電界通信アンテナの何れが接続状態となっているかどうかを検知する際の処理の流れを示す。なお、この図２５のフローチャートは、主に本実施形態の携帯電話端末１の電界通信制御部２４にて行われる処理である。なお、以下の説明では、電界通信アンテナ２５が例えば前述の図８のようにＡ００〜Ａ１１の四個のアンテナ（つまり接続端子）からなる場合を例に挙げている。
【００８１】
図２５において、電界通信制御部２４は、四個の電界通信アンテナＡ００〜Ａ１１について接続状態になっているかどうかを検索するために、ステップＳ１の処理として、それら電界通信アンテナＡ００〜Ａ１１を順番に切り替えてチェックする。
【００８２】
すなわち、電界通信制御部２４は、上記ステップＳ１にて切り替えた電界通信アンテナについて、ステップＳ２の処理として、例えば、電界強度が接続状態を示す所定値以上になっているかどうかを見ることで、他の端末の電界通信アンテナと接続状態になっているかをチェックする。
【００８３】
そして、電界通信制御部２４は、ステップＳ３の処理として、四個の電界通信アンテナＡ００〜Ａ１１の全てについて接続状態か否かのチェックを行ったか否か判断し、全てのチェックが終了していない場合にはステップＳ１へ処理を戻し、全てのチェックが終了した場合にはこの図２５のフローチャートの処理を終了して、次へ処理を進める。
【００８４】
［コード検知とそのコードに応じたモードやアクション選択のフロー］
図２６には、本実施形態の携帯電話端末１において、複数の電界通信アンテナについての接続状態の検知結果から、コード検知とそのコードに応じたモードやアクション選択を実行する際の処理の流れを示す。なお、この図２６のフローチャートは、主に本実施形態の携帯電話端末１の制御部１０にて行われる処理である。
【００８５】
図２６において、制御部１０は、ステップＳ１１の処理として、上記電界通信制御部２４に前述の図２５の接続検索処理を実行させる。また同時に、制御部１０は、例えば何れか一つでも電界通信アンテナが接続状態になっている場合に、上記電界通信制御部２４を制御することにより当該電界通信アンテナを通じて携帯電話端末２と情報通信を行わせ、互いの端末において少なくとも接続状態となっている電界通信アンテナが何れのアンテナであるのかを表す情報を連絡し合う。なお、この際、必要であれば、接続されていない電界通信アンテナが何れのアンテナであるかを表す情報を連絡し合ってもよい。そして、このステップＳ１１における接続検索処理が終わると、制御部１０は、ステップＳ１２へ処理を進める。
【００８６】
ステップＳ１２の処理に進むと、制御部１０は、自端末において接続状態になっている電界通信アンテナ及び接続されていない電界通信アンテナの情報と、携帯電話端末２側において接続状態になっている電界通信アンテナ及び接続されていない電界通信アンテナの情報とを用い、前述した接続状態の対になっている電界通信アンテナの組み合わせを表すコードを生成する。
【００８７】
次に、制御部１０は、ステップＳ１３の処理として、ステップＳ１２で生成したコードやそのコードの変化から、前述の図２２で説明したようなモードの設定やアクションの選択を行う。
【００８８】
その後、制御部１０は、ステップＳ１４の処理として、上記設定したモードや選択したアクションにおいて携帯電話端末２との間でデータ通信を行う場合には、上記接続状態となっている電界通信アンテナを通じた電界通信により、データ通信を行う。
【００８９】
［まとめ］
以上説明したように、本発明の各実施形態によれば、空間ダイバーシティ効果が高い電界通信を、複数の電界通信アンテナを用いて行うことで、多チャンネル通信や多重化通信による高速通信が可能となり、また、接続状態の対になった電界通信アンテナの組み合わせや、その対の変化などにより、モード設定やアクション選択等の様々な端末制御が行え、電界通信の特徴である高い空間分離度や高速データ伝送特性を有効に活用することが可能になっている。
【００９０】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９１】
例えば、前述の図８等ではそれぞれ同じ形の複数の電界通信アンテナを格子状に配置した例を挙げたが、それら複数の電界通信アンテナの形や大きさは全て同じである必要はなく、異なる大きさや形、棒形状等の様々な形状を有していてもよく、また、それらの配置も格子状に限定されない。
【００９２】
その一例として、一方の端末には面積の大きな電界通信アンテナを設け、他方の端末には面積の小さな電界通信アンテナを設けるようにし、それら両端末を近接配置した時に、他方の端末が一方の端末の上記面積の大きな電界通信アンテナ上のどの位置にあるのかを検知して、その位置に応じた制御を行うことができる。なお、当該位置に応じた制御としては、前述同様のモード設定やアクション選択の他、ディスプレイ上でカーソルや画像等を任意の方向へ移動させる表示制御や、ディスプレイ上の枠画像の拡大／縮小制御など、様々な制御例を挙げることができる。
【００９３】
さらに他の例として、複数の電界通信アンテナを同心円状に配置してもよい。このように、複数の電界通信アンテナを同心円状に配置した場合には、例えば、同様の構成の別端末を上記同心円の中心を略々一致させるように近接させ、それら端末を上記同心円の中心軸にて相対的に回転させることで、その回転に応じた制御を行うようなことも可能である。なお、当該回転に応じた制御としては、前述同様のモード設定やアクション選択の他に、例えばディスプレイ上のカーソルや画像等を円方向に移動させる表示制御や、ディスプレイ上の画像自体を回転させる表示制御、いわゆるディスク型のジョグダイヤルの操作に準じた制御など、様々な制御例を挙げることができる。
【００９４】
また、本発明の電界通信装置や情報端末は、上述した実施形態に挙げた携帯電話端末に限定されず、ＰＤＡ、カーナビゲーションシステムのリモートコントローラ、携帯型のゲーム機やＡＶ機器等様々な端末にも適用可能である。
【図面の簡単な説明】
【００９５】
【図１】本発明実施形態の携帯電話端末の概略構成を示すブロック図である。
【図２】本発明の第１の実施形態において、四個の電界通信アンテナがそれぞれ一対一に対応するように二つの携帯電話端末を近接させた状態で電界通信を行う場合の概略図である。
【図３】本発明の第２の実施形態において、四個の電界通信アンテナのうち隣接する三つがそれぞれ一対一に対応するように二つの携帯電話端末を近接させた状態で電界通信を行う場合の概略図である。
【図４】本発明の第３の実施形態において、端末の両面に電界通信アンテナが設けられた二つの携帯電話端末をそれぞれ一方の面側で近接させた状態で電界通信を行う場合の概略図である。
【図５】本発明の第４の実施形態において、筐体長尺側両端部に電界通信アンテナが設けられた二つの携帯電話端末の筐体長尺側端部を近接させた状態で電界通信を行う場合の概略図である。
【図６】本発明の第５の実施形態において、筐体短尺側両端部に電界通信アンテナが設けられた二つの携帯電話端末の筐体短尺側端部を近接させた状態で電界通信を行う場合の概略図である。
【図７】本発明の第６の実施形態において、筐体長尺側両端部と筐体短尺側両端部に電界通信アンテナが設けられた携帯電話端末間で電界通信によりデータを転送する場合の概略図である。
【図８】本発明の第７の実施形態において、一筐体面内側に四個の電界通信アンテナを格子状に配置した二つの携帯電話端末をそれぞれ表側から観た状態で並べた概略図である。
【図９】第７の実施形態において、電界通信アンテナ（Ａ１１）と（Ｂ０１）の対が接続状態になっている場合の配置例を示す図である。
【図１０】第７の実施形態において、電界通信アンテナ（Ａ１０）と（Ｂ０１）の対、及び、（Ａ１１）と（Ｂ００）の対が接続状態になっている場合の配置例を示す図である。
【図１１】第７の実施形態において、電界通信アンテナ（Ａ１０）と（Ｂ００）の対が接続状態になっている場合の配置例を示す図である。
【図１２】第７の実施形態において、電界通信アンテナ（Ａ１０）と（Ｂ０１）の対、及び、（Ａ１１）と（Ｂ１１）の対が接続状態になっている場合の配置例を示す図である。
【図１３】第７の実施形態において、電界通信アンテナ（Ａ００）と（Ｂ０１）の対、（Ａ０１）と（Ｂ００）の対、（Ａ１０）と（Ｂ１１）の対、（Ａ１１）と（Ｂ１０）の対がそれぞれ接続状態となっている場合の配置例を示す図である。
【図１４】第７の実施形態において、電界通信アンテナ（Ａ００）と（Ｂ００）の対、及び、（Ａ１０）と（Ｂ１０）の対が接続状態となっている場合の配置例を示す図である。
【図１５】第７の実施形態において、電界通信アンテナ（Ａ１０）と（Ｂ１１）の対が接続状態となっている場合の配置例を示す図である。
【図１６】第７の実施形態において、電界通信アンテナ（Ａ００）と（Ｂ１１）の対、及び、（Ａ０１）と（Ｂ１０）の対が接続状態となっている場合の配置例を示す図である。
【図１７】第７の実施形態において、電界通信アンテナ（Ａ００）と（Ｂ１０）の対が接続状態となっている場合の配置例を示す図である。
【図１８】本発明の第８の実施形態において、電界通信アンテナ（Ａ１１）と（Ｂ０１）が対の状態から、（Ａ０１）と（Ｂ０１）が対になると同時に（Ａ１１）と（Ｂ１１）が対になった状態へ変化した例を示す図である。
【図１９】図１８の例において、電界通信アンテナの接続状態とその変化を表にして示す図である。
【図２０】本発明の第８の実施形態において、電界通信アンテナ（Ａ０１）と（Ｂ０１）が対、及び、（Ａ１１）と（Ｂ１１）が対になっていた状態から、（Ａ０１）と（Ｂ１１）が対になる状態へ変化した例を示す図である。
【図２１】図２０の例において、電界通信アンテナの接続状態とその変化を表にして示す図である。
【図２２】第８の実施形態において、接続状態の対となった電界通信アンテナの組み合わせやその対の変化を表すコードと、端末の動作モードやアクションとの対応表を表す図である。
【図２３】第８の実施形態において、動画モードの設定が行われる場合の、接続状態の対となる電界通信アンテナの組み合わせ例を示す図である。
【図２４】第８の実施形態において、カーソルを下から上へ移動させる場合の、接続状態の対の変化例を示す図である。
【図２５】携帯電話端末において、複数の電界通信アンテナの何れが接続状態となっているかどうかを検知する際の処理の流れを示すフローチャートである。
【図２６】携帯電話端末において、複数の電界通信アンテナの接続状態の検知結果から、コード検知とそのコードに応じたモードやアクション選択を実行する際の処理の流れを示すフローチャートである。
【符号の説明】
【００９６】
１，２  携帯電話端末、１０  制御部、１１  通信回路、１２  通信アンテナ、１３  表示部、１４  操作部、１５  時計部、１６  メモリ部、２０  スピーカ、２１  マイクロホン、２２  画像処理部、２３  音声処理部、２４  電界通信制御部、２５  電界通信アンテナ、３１  ディスプレイ、３２  テンキー
【図１】
2009253476.tif 000003
【図２】
2009253476.tif 000004
【図３】
2009253476.tif 000005
【図４】
2009253476.tif 000006
【図５】
2009253476.tif 000007
【図６】
2009253476.tif 000008
【図７】
2009253476.tif 000009
【図８】
2009253476.tif 000010
【図９】
2009253476.tif 000011
【図１０】
2009253476.tif 000012
【図１１】
2009253476.tif 000013
【図１２】
2009253476.tif 000014
【図１３】
2009253476.tif 000015
【図１４】
2009253476.tif 000016
【図１５】
2009253476.tif 000017
【図１６】
2009253476.tif 000018
【図１７】
2009253476.tif 000019
【図１８】
2009253476.tif 000020
【図１９】
2009253476.tif 000021
【図２０】
2009253476.tif 000022
【図２１】
2009253476.tif 000023
【図２２】
2009253476.tif 000024
【図２３】
2009253476.tif 000025
【図２４】
2009253476.tif 000026
【図２５】
2009253476.tif 000027
【図２６】
2009253476.tif 000028